(57)【特許請求の範囲】
【請求項１】
壁面に固定するための複数の孔を有するとともに空気調和機の係合部を係止する第１の係止手段を有する主据付板と、前記主据付板とは別途に形成されて前記主据付板の所定の位置に固定され、前記空気調和機の下部が壁面より浮くのを防止する少なくともひとつの第２の係止手段を有する補助据付板からなり、前記補助据付板はフランジング加工されたフランジング孔を設け、前記主据付板の所定の位置に設けた凸部に前記補助取付板をはめ込んだ時、前記フランジング孔の周りのフランジ部を、前記凸部の固定孔に嵌合して、前記補助据付板を前記主据付板に仮止めすることを特徴とする空気調和機の据付装置。
【請求項２】
主据付板と補助据付板は予め結合固定されていることを特徴とする請求項１記載の空気調和機の据付装置。
【請求項３】
主据付板を壁面に固定する固定手段が、前記主据付板と補助据付板をつなぐ手段を兼ねる請求項１記載の空気調和機の据付装置。
【請求項４】
主据付板は高さ寸法が、前記主据付板に係止される空気調和機
の高さ寸法に比べて１／２以下とした請求項１記載の空気調和機の据付装置。
【請求項５】
主据付板の部材の折り曲げ等の加工前の展開幅寸法と、補助据付板の幅寸法とを略同一とした請求項１記載の空気調和機の据付装置。
【請求項６】
主据付板に、補助据付板を所定位置に位置決めするための位置決め手段を設けた請求項１記載の空気調和機の据付装置。
【請求項７】
補助据付板に、所定位置からの距離を測るための直尺を挿入する直尺挿入部を設けると共に、配管穴中心部までの寸法を表示してなる請求項１記載の空気調和機の据付装置。
【請求項８】
主据付板に補助据付板の平坦部を挿入設置するための凸部を設けて、前記主据付板と前記補助据付板の壁面への取付面を略面一としてなるように構成したことを特徴とする請求項１記載の空気調和機の据付装置。
【請求項９】
補助据付板に段曲げを設けて主据付板の所定位置に係合するようにし、前記主据付板と前記補助据付板の壁面への取付面を略面一なるように構成したことを特徴とする請求項１記載の空気調和機の据付装置。
【請求項１０】
主据付板または補助据付板の何れか一方にフランジング加工を施し、
また他方に孔を設け、前記主据付板に前記補助据付板をリベット止め加工して結合できるように構成してなる請求項１記載の空気調和機の据付装置。
【発明の詳細な説明】
【０００１】
【発明の属する技術分野】
本発明は空気調和機の据付装置に係り、より詳しくは室内壁面に空気調和機を設置するための据付板の構造に関する。
【０００２】
【従来の技術】
室内機の据付板に関しては、例えば特開平７−２６０２４５号公報に開示されている。図１０、図１１に示すように、空気調和機の室内機２１を壁面２５に据付けるための据付板２２はネジ５１ａで壁面２５に対して固定され、据付板２２の上部に設けられた引掛爪５２に、室内機２１の裏面上部に設けられた係止部５３を係止して吊り下げる。また据付板２２の下面フランジ５４に、室内機２１の下端に形成した底板部５５をネジ５１ｂ等で螺着して、室内機２１の下部の壁面２５からの浮き上がりを防止する。
【０００３】
据付板２２は、室内機２１の背面部寸法Ｅとほぼ同一の大きさで構成され、さらに強度を確保するためにリブ５７が設けられ、さらに壁面２５に固定するための多数の取付孔５８が設けられている。
【０００４】
また据付板２２は従来より薄板鋼板をプレス加工して成形加工されるものであった。
【０００５】
【発明が解決しようとする課題】
しかしながら、上記従来構成の据付板２２は、形状が大きく重量も重いため、壁面２５への取付時の作業性が悪く、構成する材料も多く必要とし、さらには形状が大きいためプレス加工の金型費も高価なものとなる不具合があった。
【０００６】
そこで本願発明は上記課題に鑑み、少ない材料で、軽量で取付作業性にも優れた、金型費も軽減できる空気調和機の据付装置を提供することを目的とする。
【０００７】
【課題を解決するための手段】
上記課題を解決するために、請求項１記載の本発明は、壁面に固定するための複数の孔を有するとともに空気調和機の係合部を係止する第１の係止手段を有する主据付板と、前記主据付板とは別途に形成されて前記主据付板の所定の位置に固定され、前記空気調和機の下部が壁面より浮くのを防止する少なくともひとつの第２の係止手段を有する補助据付板からなり、前記補助据付板はフランジング加工されたフランジ孔を設け、前記主据付板の所定の位置に設けた凸部に前記補助取付板をはめ込んだ時、前記フランジング孔の周りのフランジ部を、前記凸部の固定孔に嵌合して、前記補助据付板を前記主据付板に仮止めするものである。
【０００８】
この構成により、使用材料が少なくなり、軽量化されることにより、従来に比べて取扱いが容易であり設置作業性が向上する。また、使用資源の削減と併せて金型費も大幅に軽減することができるので製造コストの削減につながる。さらに、主据付板の凸部から補助据付板が落下するのを防止することができる。
【０００９】
また、請求項２記載の本発明は、主据付板と補助据付板が結合されて据付板を構成するものであり、空気調和機の設置作業の際、主据付板と補助据付板の位置合せを行う必要がないので空気調和機の設置作業性を落とすことがない。
【００１０】
また、請求項３記載の本発明は、主据付板を壁面に固定する固定手段が主据付板と補助
据付板をつなぐ手段を兼ねるものであり、主据付板と補助据付板をあらかじめリベット等で一体化しておく必要がなく、また主据付板と補助据付板の壁面固定に対してある程度の自由度を持たせることができ、一種類の据付装置を大きさの異なる複数種類の空気調和機に用いることが可能となる。
【００１１】
また、請求項４記載の本発明は、主据付板は高さ寸法が、主据付板に引っ掛けられる空気調和機の高さ寸法に比べて１／２以下としたものであり、大幅な軽量化により取扱いが容易であり設置作業性が向上するとともに、使用資源の大幅な削減を図ることができる。
【００１２】
本発明の請求項５記載の発明は、主据付板の部材の折り曲げ等の加工前の展開幅寸法と補助据付板の幅寸法を略同一としたものである。
【００１３】
この構成により、鋼板材料の共用化ができるので据付板の製造過程における材料管理等の合理化ができる。
【００１４】
また、請求項６記載の発明は、主据付板に補助据付板を所定位置に位置決めするための位置決め手段を設けたものである。
【００１５】
この構成により、据付装置の壁面への設置作業における補助据付板の所定位置への設置が容易となる。
【００１６】
また、請求項７記載の本発明は、補助据付板に直尺を挿入するための直尺挿入部を設けると共に、配管孔中心部までの寸法を表示したものである。
【００１７】
この構成により、室内機の設置や移設時点において、配管孔位置を市販規格品の金属製の直尺を用いて容易に割り出しができる。
【００１８】
また、請求項８記載の発明は、主据付板に凸部を設けてそこに補助据付板の平坦部を指し込むようにすることで、主据付板と補助据付板の壁面への取付面をほぼ面一としたものである。
【００１９】
一方、請求項９記載の発明は、補助据付板に段曲げを設けて主据付板と固定するように構成することで、主据付板と補助据付板の壁面への取付面をほぼ面一としたものである。
【００２０】
これらの構成により、壁面に対して主据付板と補助据付板を段差なく面一に、安定した状態に強固に固定できる。
【００２１】
また、請求項１０記載の本発明は、主据付板または補助据付板の何れか一方にフランジング加工を施し、また他方に孔を設け、主据付板と補助据付板をリベット止め加工して結合できるように構成してなるものである。
【００２２】
この構成により、リベット等の他の部品を必要とせず主据付板と補助据付板を一体に結合できる。
【００２３】
【発明の実施の形態】
以下、図１〜図２を用いて、本発明の実施の形態について説明する。
【００２４】
図２において、１は分離型空気調和機の空気調和機の室内機であり、１ａは吸入グリル、１ｂは吹出口である。なお、図１において１ｆは空気調和機の室内機の壁面への投影輪郭線を示している。
【００２５】
２は分離型空気調和機の室内機１を壁面１５に据付ける据付板であり、主据付板３と少なくともひとつの補助据付板４から構成される。（図１では、補助据付板４板を２つ用いた例を表示している。）室内機１の背面上部には、据付板２に引っ掛けるための室内機係止部５を室内機１から延出して設ける。また、室内機１の背面下部には、背面側が開口した係止爪１ｃを、補助据付板４が配置される場所に相対向する位置に室内機１から延出して補助据付板の係止手段の箇所に応じて設ける。
【００２６】
主据付板３は、室内機１の横幅よりも短く横長形状として、上部に室内機係止部５を引っ掛ける係止手段としての係止受け６（第１の係止手段）を平面部７から延出して設け、また、平面部７に補助据付板４を接合する際の位置決め手段として複数の凸部８を設ける。
【００２７】
また、凸部８には、補助据付板４を固定する固定孔１０を凸部８それぞれについて少なくともひとつ設ける。
【００２８】
補助据付板４の主据付板３に対する位置決めは凸部８に補助据付板４をはめ込むようにして行う。このようにすれば、主据付板３と補助据付板４の壁面１５への各々の取付面をほぼ面一とすることができる。
【００２９】
また平面部７にも、据付板２を壁面１５に固定するための複数の取付孔９を設ける。なお、取付孔９などは図１では横長の孔にしているが、適宜縦長のものを組み合わせてもよい。
【００３０】
また、補助据付板４は、縦方向に長方形状の取付面４ａと、取付面４ａの下方部に下面フランジ４ｂを取付面４ａから壁面と反対方向に略直角方向に延出して形成し、さらに、下面フランジ４ｂに室内機係止孔４ｄ（第２の係止手段）室内機１側に設けた係止爪１ｃと係合するように設けて、室内機１下部の壁面１５からの浮きを防止する。
【００３１】
また、補助据付板４の取付面４ａに据付板２を壁面１５に固定するための複数の固定孔４ｃを設ける。  さらに、図２のＡ（一点鎖線枠）に示すように、補助据付板４の取付面４ａの上方部にはフランジング加工したフランジング孔４ｅを設けるようにする。主据付板３の凸部８に補助据付板４をはめ込んだ時、凸部８の固定孔１０に、フランジング孔４ｅの周りのフランジ部が嵌合する。その構造により、主据付板３の凸部８から補助据付板４が落下するのを防止することができる。なお、図示はしていないが、補助据付板４には強度を保つために縦方向にリブを加工しておくと良い。  室内機１と室外機（図示せず）とは、接続配管１１を用いて接続されるが、室内側では接続配管１１は室内機１の台枠後面１ｄに隣接して配設されており、断熱材１２で被覆されている。また、壁面１５には配管１１を室外に導出するための配管孔１３が設けられており、据付板２は配管孔１３を避けるように配置される。
【００３２】
次に、室内機１の壁面１５への設置方法と作用について説明する。
【００３３】
まず、主据付板３を室内機１の設置位置に合わせて、両端の取付孔９を用いてネジ１４ａで壁面１５に左右方向を水平に仮固定する。
【００３４】
次に、主据付板３の両端の凸部８に下方から、二つの補助据付板４をはめ込み（図１）フランジング孔４ｅを固定孔１０に嵌合する。
【００３５】
フランジング孔４ｅを固定孔１０に嵌合することにより、補助据付板４は主据付板３に引っ掛かり、ずり落ちることが無く設置作業が容易となる。
【００３６】
次に、フランジング孔４ｅと固定孔１０を用いて、ネジ１４ｂで共締めして壁面１５に固定する（図２のＡ部）。
【００３７】
また、補助据付板４の下端の固定孔４ｃを用いてネジ１４ｃで補助据付板４を壁面１５に固定する。
【００３８】
そして、壁面構造と強度および室内機１の重量に見合う固定位置、およびネジ本数で据付板２を壁面１５や柱（図示せず）に固定し、仮固定箇所については本締めを行う。通常、据付板２の設置に使用する総ネジ本数は６本程度で強度的には十分である。
【００３９】
次に、室内機１の接続配管１１を成形して配管孔１３に挿入し、室内機係止部５を据付板２の係止受け６に引っ掛けて吊り下げ、次いで室内機１の係止爪１ｃを室内機１下部の浮き防止手段である据付板２の下面フランジ４ｂに形成された室内機係止孔４ｄに嵌合挿入する。ここで補助据付板４は固定孔４ｅと、固定孔４ｃのできるだけフランジング孔４ｅに近い孔で固定されることが望ましい。このようにして、室内機１の壁面１５への設置は完了する。
【００４０】
また、主据付板３の構成部材の展開幅寸法Ｌ１と補助据付板４の幅寸法Ｌ２を略同一とすれば、薄板鋼板の合理的な材料取ができるとともに、加工生産性向上する。ここで展開幅寸法とは、例えば主据付板３を成形する折り曲げなどの加工を施す前の原材料部材の薄板鋼板の幅寸法を意味する。
【００４１】
また、補助据付板４の位置決め手段と、主据付板３と補助据付板４の壁面１５への各々の取付面をほぼ面一とし、また、設置時の作業性と安全性を確保するための補助据付板４の落下防止手段として、図３に示すように主据付板３に切起こし３ａを設け、補助据付板４に切起こし３ａと相対する位置に切欠き４ｍと、さらに段曲げ４ｋを設ける等の他の方法であっても良い。
【００４２】
また、補助据付板４を図４に示すように中央部に移動することにより、例えば家屋の支柱などの柱に直接吊り下げ固定することもできる。
【００４３】
また、補助据付板４の幅を図５に示すように、大きくして一枚物の補助据付板４ａで構成することもできる。
【００４４】
また、図６に示すように主据付板３と補助据付板４を溶接やリベット止め等の結合手段で最初から一体にして構成することもできる。
【００４５】
また、図７に示すように、図２のＡ部に相当する部分を深くフランジング加工し、先端４ｆをリベット止め加工すれば、リベット等の別部品は不要となる。
【００４６】
なお、フランジング加工を主据付板３側に、固定孔１０を補助据付板４側に設けてリベット止め加工しても良い。
【００４７】
また、図９に示すように補助据付板４に市販の１５ｃｍ直尺１６（ＪＩＳＢ７５１６規格品）を挿入する挿入部４ｇと端面当て４ｈを切起こし加工で設け、配管穴１３の中心位置を示す表示を刻印等で設けることにより、室内機１の設置時や移設時には配管位置決めが簡素化できる。
【００４８】
また、主据付板３の係止受け６は、図６に示すように主据付板３の両側の一部分に設けてもよいし、また、係止受けの形状は他の形状であっても良い。
【００４９】
また、補助据付板４の浮き防止手段（図２のＢ部）は図８に示すように、下面フランジ４ｂに直接下方よりネジ固定する方法等であっても良い。
【００５０】
【発明の効果】
本発明は、以上説明したような形態で実施され、以下に記載するような効果を奏する。
【００５１】
即ち、本発明は、壁面に固定され、空気調和機の係合部を係止する第１の係止手段を有する主据付板と、第１の係止手段に対して固定され、空気調和機が壁面より浮くのを防止する、少なくともひとつの第２の係止手段を有する補助据付板を有するものである。
【００５２】
この構成により、使用材料が少なくなり軽量化されることにより、従来に比べて取扱いが容易であり設置作業性が向上する。また、使用資源の削減と併せて金型費も大幅に軽減することができるので製造コストの削減につながる。さらに、主据付板の凸部から補助据付板が落下するのを防止することができる。
【００５３】
また、本発明は、主据付板と補助据付板が接合されているものであり、空気調和機の設置作業の際、主据付板と補助据付板の位置合せを行う必要がないので空気調和機の設置作業性を落とすことがない。
【００５４】
また、本発明は、主据付板を壁面に固定する固定手段が主据付板と補助据付板をつなぐ手段を兼ねるものであり、主据付板と補助据付板をあらかじめリベット等で一体化しておく必要がなく、また主据付板と補助据付板の壁面個定の位置関係にある程度の自由度を持たせることができ、一種類の据付装置を大きさの異なる複数種類の空気調和機に用いることが可能となる。
【００５５】
また、本発明は、主据付板は高さ寸法が、主据付板に係止される空気調和機の高さ寸法に比べて１／２以下としたものであり、大幅な軽量化により取扱いが容易であり設置作業性が向上するとともに、使用資源の大幅な削減を図ることができる。
【００５６】
また、本発明は、壁面に取り付けられる主据付板および少なくともひとつ以上の補助据付板を有し、主据付板は据付けられる空気調和機の横幅より短く横長形状とし、主据付板を壁面に固定するための複数の取付孔を形成した平面部と、平面部の上部に延出して空気調和機を係止する係止手段を有し、補助据付板は長方形状とし、補助据付板を壁面に固定するための複数の取付孔を形成した取付面と、その取付面の下方に取付面から延出した空気調和機下部の浮き防止手段とを有し、主据付板の所定位置に補助据付板を一体に結合して壁面に固着するようにしたものである。
【００５７】
この構成により、使用材料が少なくなり軽量化されることにより、取扱いが容易であり据付板の設置作業性と安全性が向上し、使用資源の削減と、併せて金型費も大幅に軽減することができる。
【００５８】
また、室内機の横幅の異なる機種に対しては主据付板の長さのみを変えることにより、補助据付板はそのまま使用できるので部品の共用展開が容易となる。
【００５９】
また、本発明は、主据付板と補助据付板は、予めリベット、溶接等の結合手段で一体としたものである。
【００６０】
この構成により、主据付板と補助据付板は予め一体化されているので、据付装置の壁面への設置作業における取扱いがより容易となる。
【００６１】
また、本発明は、主据付板の材料の展開幅寸法と補助据付板の幅寸法を略同一としたものである。
【００６２】
この構成により、鋼板材料の共用化ができるので据付板の製造過程における材料管理等の合理化ができる。
【００６３】
また、本発明は、主据付板に補助据付板を所定位置に位置決めする位置決め手段を設けたものである。
【００６４】
この構成により、据付装置の壁面への設置作業における補助据付板の所定位置への設置が容易となる。
【００６５】
また、本発明は、補助据付板を主据付板に仮止めする仮連結手段を設けたものであり、据付装置の設置作業の際、補助据付板を落とすのが防止でき設置作業が容易となる。
【００６６】
また、本発明は、補助据付板に直尺挿入部を設けると共に配管孔中心部までの寸法を表示したものである。
【００６７】
この構成により、室内機の設置や移設時点において、配管孔位置を市販規格品の金属製の直尺を用いて容易に割り出しができる。
【００６８】
また、本発明は、主据付板に凸部あるいは補助据付板に段曲げを設けて、主据付板と補助据付板の壁面への取付面をほぼ面一としたものである。
【００６９】
この構成により、壁面に対して主据付板と補助据付板を段差なく面一に、安定した状態に強固に固定できる。
【００７０】
また、本発明は、主据付板または補助据付板の何れか一方にフランジング加工を施し、また他方に孔を設け、主据付板と補助据付板をリベット止め加工して結合できるようにしたものである。
【００７１】
この構成により、リベット等の他の部品を必要とせず主据付板と補助据付板を一体に結合できる。
【図面の簡単な説明】
【図１】  本発明の実施の形態における据付板の斜視図
【図２】  図１のＩ―Ｉ縦断面及び空気調和機を設置した状態を示す一部切欠側面図
【図３】  本発明の他の実施の形態における据付装置要部斜視図
【図４】  本発明の他の実施の形態における据付板の斜視図
【図５】  本発明の他の実施の形態における据付板の斜視図
【図６】  本発明の他の実施の形態における据付板の斜視図
【図７】  本発明の他の実施の形態を示す要部斜視図
【図８】  浮き防止手段の他の実施の形態を示す要部縦断面図
【図９】  本発明の実施の形態における配管穴位置決め方法を示す要部斜視図
【図１０】  従来の据付板の斜視図
【図１１】  従来の据付板に室内機を設置した状態を示す一部切欠側面図
【符号の説明】
１  室内機
１ｃ  係止爪
２  据付板
３  主据付板
４  補助据付板
４ａ  取付面
４ｂ  下面フランジ
４ｃ  固定孔
４ｄ  室内機係止孔
４ｅ  フランジング孔
５  室内機係止部
６  係止受け
７  平面部
８  凸部
９  取付孔
１０  固定孔
１１  接続配管
１３  配管孔
１４  ネジ
１５  壁面
１６  直尺
【図１】
0003879432.tif 000002
【図２】
0003879432.tif 000003
【図３】
0003879432.tif 000004
【図４】
0003879432.tif 000005
【図５】
0003879432.tif 000006
【図６】
0003879432.tif 000007
【図７】
0003879432.tif 000008
【図８】
0003879432.tif 000009
【図９】
0003879432.tif 000010
【図１０】
0003879432.tif 000011
【図１１】
0003879432.tif 000012